(57)【要約】      （修正有）【課題】所定の剛性を確保したバッテリーターミナルを提供する。【解決手段】バッテリーターミナル１０は、バッテリーポストに外嵌されて保持される弧状の電極保持部１１と、相手側の端子金具が接続される相手側接続部１２と、相手側接続部と電極保持部とをつなぐ連結部１３とを備える。連結部は、電極保持部と相手側接続部との間に形成された高低差と対応して斜めに延びる形態とされ、相手側接続部と電極保持部とに一体に連なる基板部２５と、基板部に板厚方向に重なる補強板部２６とからなる。【選択図】図４
2015011866.tif 000002
【特許請求の範囲】
【請求項１】
金属板を曲げ加工して形成されるバッテリーターミナルであって、
バッテリーポストに外嵌されて保持される弧状の電極保持部と、相手側の端子金具又は電線が接続される相手側接続部と、前記相手側接続部と前記電極保持部とをつなぐ連結部とを備え、
前記連結部は、前記電極保持部と前記相手側接続部との間に形成された高低差と対応して斜めに延びる形態とされ、前記相手側接続部と前記電極保持部とに一体に連なる基板部と、前記基板部に板厚方向に重なる補強板部とを有していることを特徴とするバッテリーターミナル。
【請求項２】
前記補強板部は、前記基板部に連なる折曲部を介して前記基板部側に折り曲げられた形状になっていることを特徴とする請求項１記載のバッテリーターミナル。
【請求項３】
前記補強板部と前記基板部の少なくとも一方には、前記補強板部と前記基板部との重なり状態を保持する係止爪が設けられていることを特徴とする請求項１又は２記載のバッテリーターミナル。
【発明の詳細な説明】
【技術分野】
【０００１】
本発明は、バッテリーターミナルに関する。
【背景技術】
【０００２】
特許文献１に開示のバッテリーターミナルは、金属板を曲げ加工して形成されるものであって、バッテリーポストに外嵌されて保持される弧状の抱持部（電極保持部）と、電線が接続される電線接続部（相手側接続部）と、電線接続部と抱持部とをつなぐ連結部とを備えている。電線接続部には、スタッドボルトが挟着されて起立状態に保持されている。また、電線接続部と抱持部の双方の下面（バッテリー側への設置面）はいずれも同じ高さ位置に揃えられており、電線接続部と抱持部との間には、高低差が形成されていない。
【先行技術文献】
【特許文献】
【０００３】
【特許文献１】特開２０１１−１１３６６９号公報
【発明の概要】
【発明が解決しようとする課題】
【０００４】
ところで、例えば、スタットボルトが周辺部品と干渉するのを回避するために、抱持部に対する電線接続部の相対位置を下げて、電線接続部と抱持部との間に高低差をつけることが求められることがある。しかし、電線接続部と抱持部との間に高低差が形成され、その高低差と対応するように、連結部が高さ方向に対して斜めに配置されるとすると、連結部にせん断方向、曲げ方向、ねじれ方向の外力が作用したときに、連結部が破断される可能性がある。
【０００５】
本発明は上記のような事情に基づいて完成されたものであって、所定の剛性を確保したバッテリーターミナルを提供することを目的とする。
【課題を解決するための手段】
【０００６】
本発明は、金属板を曲げ加工して形成されるバッテリーターミナルであって、バッテリーポストに外嵌されて保持される弧状の電極保持部と、相手側の端子金具又は電線が接続される相手側接続部と、前記相手側接続部と前記電極保持部とをつなぐ連結部とを備え、前記連結部は、前記電極保持部と前記相手側接続部との間に形成された高低差と対応して斜めに延びる形態とされ、前記相手側接続部と前記電極保持部とに一体に連なる基板部と、前記基板部に板厚方向に重なる補強板部とを有しているところに特徴を有する。
【発明の効果】
【０００７】
連結部が電極保持部と相手側接続部との間に形成された高低差と対応して斜めに延びる形態とされるため、連結部の剛性が低下する懸念があるものの、本発明によれば、連結部が基板部とその基板部に板厚方向に重なる補強板部とで構成されるため、連結部の剛性が低下するのが防止される。
【図面の簡単な説明】
【０００８】
【図１】本発明の実施例１において、バッテリーポストに取り付けられたバッテリーターミナルの側面図である。
【図２】バッテリーターミナルの側面図である。
【図３】バッテリーターミナルの平面図である。
【図４】バッテリーターミナルの展開図である。
【発明を実施するための形態】
【０００９】
本発明の好ましい形態を以下に示す。
前記補強板部は、前記基板部に連なる折曲部を介して前記基板部側に折り曲げられた形状になっている。補強板部が折曲部を介して基板部側に折り曲げられるため、加工が複雑になることもない。
【００１０】
前記補強板部と前記基板部の少なくとも一方には、前記補強板部と前記基板部との重なり状態を保持する係止爪が設けられている。係止爪によって補強板部と基板部との重なり状態が保持されることにより、連結部が補強された状態が安定して維持される。
【００１１】
＜実施例１＞
本発明の実施例１を図１〜図４によって説明する。実施例１のバッテリーターミナル１０は、導電性の金属板を曲げ加工して形成されるものである。具体的には、バッテリーターミナル１０は、図１及び図３に示すように、バッテリーポスト６０に外嵌されて保持される平面視弧状の電極保持部１１と、相手側の端子金具５０に接続される相手側接続部１２と、相手側接続部１２と電極保持部１１との間に配置されて両者１１、１２をつなぐ連結部１３とを備えている。図１に示すように、相手側の端子金具５０は、同じく導電性の金属板を曲げ加工して形成され、相手側接続部１２の後述するスタッドボルト２０に挿通される環状の接続本体部５１と、接続本体部５１の後方に連なって電線９０の端末部に圧着により接続されるバレル部５２とを備えている。
【００１２】
図１及び図２に示すように、相手側接続部１２は、略平板状の支持板部１４と、支持板部１４の上方に対向する略平板状の覆い板部１５とを有している。支持板部１４と覆い板部１５との間には、スタッドボルト２０の端部における拡径部２１が収容される収容空間１６が確保されている支持板部１４には、連結部１３に連なる側とは反対側の端部に、収容空間１６内へ向けて折り返されるように曲げられた閉じ板部１７が連設されている。図１に示すように、支持板部１４の上面には、スタッドボルト２０の拡径部２１を支持する支持面１８が底上げして形成されている。また、覆い板部１５には、スタッドボルト２０の軸部２２が挿通される挿通孔１９が開口して設けられている。この場合、覆い板部１５は、挿通孔１９にスタッドボルト２０の軸部２２を挿通させた状態で、支持板部１４の上方に重なるように折り返され、支持板部１４との間に収容空間１６を介して、スタッドボルト２０を挟みこむように保持する。
【００１３】
図１に示すように、スタッドボルト２０の軸部２２の中心軸は、バッテリーポスト６０の中心軸と平行に配置されている。スタッドボルト２０の軸部２２には相手側の端子金具５０の接続本体部５１が挿通された後、ナット８０が締め付けられ、これによって覆い板部１５の上面に相手側の端子金具５０が固定されるようになっている。
【００１４】
電極保持部１１は、バッテリーポスト６０の外周形状に沿うように、上方へ向けて次第に縮径する側面視略台形のテーパ形状をなしている。図３に示すように、電極保持部１１の両側の開放端には、互いに対向しつつ相手側接続部１２側とは反対側に突出する一対の締付片２３が連設されている。そして、両締付片２３には、図１に示すように、締付ボルト７０が挿通される通し孔２４が貫通して形成されている。両締付片２３の通し孔２４に締付ボルト７０が挿通され、挿通された締付ボルト７０に図示しないナットが螺合されることにより、締付ボルト７０とナットとが互いに接近するとともに、電極保持部１１が縮径され、これによって電極保持部１１がバッテリーポスト６０に抜け止め状態で保持されるようになっている。
【００１５】
図１に示すように、バッテリーポスト６０は、鉛製の電極であって、箱形のバッテリー本体６５の上面に突設される扁平円柱状の基台６６と、基台６６の上面に突設される円錐台形のポスト本体６７とからなる。基台６６の上面の周縁部には、ポスト本体６７の周囲に、側面視において段差状をなす段差部６８が形成されている。
【００１６】
バッテリーポスト６０に電極保持部１１が外嵌されると、電極保持部１１の下端が基台６６の段差部６８に載置され、両締付片２３がバッテリー本体６５の上方に浮いて配置されるようになっている。一方、相手側接続部１２の支持板部１４の下面はバッテリー本体６５の上面に当接して載置されており、相手側接続部１２と電極保持部１１との間には、高低差が形成されている。これにより、電極保持部１１に対する相手側接続部１２の相対位置が下げられ、相手側接続部１２に保持されたスタッドボルト２０が周辺部品と干渉するのが回避されている。
【００１７】
さて、図１及び図２に示すように、連結部１３は、相手側接続部１２と電極保持部１１との高低差に起因し、全体として、相手側接続部１２から電極保持部１１にかけて上り勾配でテーパ状に傾斜する斜辺形状になっている。また、連結部１３は、相手側接続部１２の支持板部１４と電極保持部１１の下端とに一体に連結される基板部２５と、基板部２５の上方（板厚方向）に被さるように重なる補強板部２６とを有している。図２及び図４に示すように、補強板部２６と基板部２５とは、折曲部２７を介して一体に連結されている。この場合に、折曲部２７は、基板部２５の両側縁のうちの一側縁に沿って形成されている。
【００１８】
また、補強板部２６は、折曲部２７から延設され、図１に示すように、基板部２５とともに連結部１３の斜辺形状の構成する斜辺部２８と、斜辺部２８に沿って連設され、相手側接続部１２の収容空間１６に臨んで支持板部１４の上面に重なる水平部２９とを有している。つまり、補強板部２６は、基板部２５と相手側接続部１２とにまたがって配置されている。また、図１及び図４に示すように、補強板部２６には、折曲部２７に連なる側とは反対側の端部（延出方向先端部）に、一対の係止爪３１が突出して形成されている。係止爪３１は、水平部２９と斜辺部２８のそれぞれの端部に形成され、さらに、水平部２９における基板部２５側に臨む端部にも形成されている。
【００１９】
ここで、補強板部２６は、折曲部２７を介して折り曲げられて基板部２５の上面に重ねられ、その状態で、各係止爪３１が基板部２５の下面及び支持板部１４の下面側に折り曲げられることにより、基板部２５にほぼ密着状態に保持される。
【００２０】
続いて、バッテリーターミナル１０の展開形状について簡単に説明するが、左右方向及び上下方向については、図４を基準とする。図４に示すように、バッテリーターミナル１０の展開形状において、電極保持部１１は、左右方向に帯状に長く延びる形態とされ、連結部１３の基板部２５は、電極保持部１１の左右方向中央部から下方に帯状に短く延びる形態とされ、連結部１３の補強板部２６は、基板部２５の左縁からの左方向に帯状に短く延びる形態とされ、相手側接続部１２の支持板部１４は、連結部１３の下端から下方に帯状に短く延びる形態とされ、相手側接続部１２の覆い板部１５は、支持板部１４の右縁から右方向に帯状に長く延びる形態とされ、相手側接続部１２の閉じ板部１７は、支持板部１４の下端から下方に帯状に短く延びる形態とされている。このうち、補強板部２６は電極保持部１１と基板部２５との間に略Ｌ字形に区画される内側空間に配置されており、補強板部２６の存在によって歩留りがとくに悪化することはない。
【００２１】
次に、実施例１の作用効果について説明する。
組み付けに際し、バッテリーポスト６０に電極保持部１１が緩く外嵌され、その状態で、両締付片２３の通し孔２４に挿通された締付ボルト７０にナットが締め付けられる。これにより、バッテリーポスト６０に電極保持部１１がきつく外嵌された状態で固定される。また、相手側接続部１２のスタッドボルト２０に相手側の端子金具５０の接続本体部５１が外挿され、上方からナット８０が締め付けられることで、相手側接続部１２が相手側の端子金具５０に接続されて固定される。
【００２２】
ところで、実施例１の場合、相手側接続部１２と電極保持部１１との間に形成された高低差に起因して、連結部１３が高さ方向及び水平方向に対して斜めに傾斜するテーパ形状とされるため、バッテリーターミナル１０の組み付け前の単体取扱い時又は上記ナット８０の締め付け時に、相手側接続部１２と電極保持部１１との間に高さ方向の位置ずれを生じさせるような外力が作用すると、連結部１３に過大なせん断力、曲げ力、ねじり力が作用して、連結部１３が破断される可能性がある。
【００２３】
しかるに実施例１によれば、連結部１３が基板部２５に補強板部２６を重ねた二重板構造になっているため、連結部１３に作用するせん断力、曲げ力、ねじり力に抗する剛性が得られ、連結部１３が安易に破断されるのが防止される。この場合、補強板部２６が基板部２５と支持板部１４とに跨って設けられているため、連結部がより変形しにくい構造となり、より強固な補強構造となる。
【００２４】
また、補強板部２６が折曲部２７を介して基板部２５側に折り曲げられるため、加工が複雑になることもない。さらに、係止爪３１を介して補強板部２６と基板部２５との重なり状態が保持されることにより、連結部１３が補強された状態が安定して維持される。
【００２５】
＜他の実施例＞
本発明は上記記述及び図面によって説明した実施例に限定されるものではなく、例えば次のような態様も本発明の技術的範囲に含まれる。
（１）相手側接続部は、電線の芯線に直接圧着により接続されるバレル状の形態であってもよい。
（２）上記実施例１とは逆に、電極保持部に対する相手側接続部の相対位置が上方に位置するように、相手側接続部と電極保持部との間に高低差が形成されるものであってもよい。
（３）基板部と補強板部とは、密着状態で重なる必要はなく、両者間に隙間が形成されていてもよい。
【符号の説明】
【００２６】
１０…バッテリーターミナル
１１…電極保持部
１２…相手側接続部
１３…連結部
２５…基板部
２６…補強板部
２７…折曲部
３１…係止爪
５０…相手側の端子金具
６０…バッテリーポスト
９０…電線
【図１】
2015011866.tif 000003
【図２】
2015011866.tif 000004
【図３】
2015011866.tif 000005
【図４】
2015011866.tif 000006